(57)【要約】【課題】記録ヘッドを簡素な構成で制御する。【解決手段】インクジェット記録装置１００は、画像形成部３、第１算出部７０２、判定部７０３、第２算出部７０４及び指示部７０５を備える。第１算出部７０２は、第１画像ＰＴ１の印字率を示す第１印字率ＲＴ１を算出する。判定部７０３は、第１印字率ＲＴ１が基準印字率ＲＴＡ以上であるか否かを判定する。第２算出部７０４は、画像形成部３が第１画像ＰＴ１を用紙Ｐに形成する際にインクを吐出する記録ヘッド３４の個数を示す第１吐出個数Ｎ１を算出する。第１印字率ＲＴ１が基準印字率ＲＴＡ以上であると判定部７０２が判定し、且つ第１吐出個数Ｎ１が２個以上である場合に、指示部７０５は、第１画像ＰＴ１を複数回数ＮＰ１に分けて用紙Ｐに形成すると決定する。画像形成部３は、指示部７０５の決定に基づき、第１吐出個数Ｎ１の記録ヘッド３４の各々から複数回数ＮＰ１のうち１回だけインクを吐出する。【選択図】図２
2019005986.tif 000002
【特許請求の範囲】
【請求項１】
記録媒体に互いに相違する色のインクを吐出する複数の記録ヘッドと、
前記記録ヘッドを介して前記記録媒体に画像を形成する画像形成部と、
前記記録媒体の第１主面と第２主面との両方に画像を形成する場合に、第１画像の印字率を示す第１印字率を算出する第１算出部と、
前記第１印字率が所定印字率以上であるか否かを判定する判定部と、
第１吐出個数を算出する第２算出部と、
前記第１印字率が前記所定印字率以上であると前記判定部が判定し、且つ前記第１吐出個数が２個以上である場合に、前記第１画像を複数の回数に分けて前記記録媒体に形成すると決定する決定部と
を備え、
前記第１画像は、前記第１主面に形成する画像を示し、
前記第１吐出個数は、前記画像形成部が前記第１画像を前記記録媒体に形成する際にインクを吐出する前記記録ヘッドの個数を示し、
前記画像形成部は、前記決定部の決定に基づき、前記第１吐出個数の前記記録ヘッドの各々から前記複数の回数のうち１回だけインクを吐出する、インクジェット記録装置。
【請求項２】
前記第１算出部は、第２画像の印字率を示す第２印字率を算出し、
前記第２画像は、前記第２主面に形成する画像を示し、
前記所定印字率は、前記第２印字率を示す、請求項１に記載のインクジェット記録装置。
【請求項３】
前記所定印字率は、前記記録媒体の反りの大きさが所定の大きさとなる基準印字率を示し、
前記第１印字率は、前記第１主面の第１所定領域の印字率を示す、請求項１に記載のインクジェット記録装置。
【請求項４】
前記基準印字率は、前記基準印字率の画像を前記記録媒体の一方の主面の所定領域に形成した後、前記記録媒体の他方の主面が前記記録ヘッドに到達するときの前記記録媒体の前記所定領域の反りの大きさが、前記記録ヘッドと搬送面との距離と一致する場合の印字率を示し、
前記搬送面は、前記記録ヘッドの位置する方向に向けて前記記録媒体が搬送される面を示す、請求項３に記載のインクジェット記録装置。
【請求項５】
前記第１算出部は、第２画像の印字率を示す第２印字率を算出し、
前記第２画像は、前記第２主面に形成する画像を示し、
前記判定部は、前記第２印字率が前記基準印字率以上であるか否かを判定し、
前記第２印字率は、前記第２画像を前記第２主面に形成する際の前記第２主面の第２所定領域の印字率を示し、
前記第２算出部は、第２吐出個数を算出し、
前記第２吐出個数は、前記画像形成部が前記第２画像を前記記録媒体に形成する際に、前記インクを吐出する前記記録ヘッドの個数を示し、
前記決定部は、前記第２印字率が前記基準印字率以上であると前記判定部が判定し、前記第２吐出個数が２個以上である場合に、前記第２画像を複数の回数に分けて前記記録媒体に形成すると決定し、
前記画像形成部は、前記決定部の決定に基づき、前記複数の回数のうち１回だけ前記第２吐出個数の前記記録ヘッドの各々からインクを吐出する、請求項３又は請求項４に記載のインクジェット記録装置。
【請求項６】
前記第１所定領域は、前記第１画像を前記記録媒体に形成する際に、前記記録媒体の搬送方向の上流端から所定距離までの領域を示し、
前記第２所定領域は、前記第２画像を前記記録媒体に形成する際に、前記記録媒体の搬送方向の上流端から前記所定距離までの領域を示す、請求項５に記載のインクジェット記録装置。
【請求項７】
前記記録ヘッドに対して前記記録媒体の搬送方向の上流側に配置される搬送ローラーを更に備え、
前記所定距離は、前記記録ヘッドの前記記録媒体の搬送方向の上流端と、前記搬送ローラーとの間の距離と一致する、請求項６に記載のインクジェット記録装置。
【請求項８】
前記画像形成部が前記第１画像を複数の回数に分けて前記記録媒体に形成し、前記画像形成部が前記第２画像を複数の回数に分けて前記記録媒体に形成しない場合に、前記画像形成部は、前記第１画像の一部を前記第１主面に形成した後、前記第２画像を前記第２主面に形成して、前記第１画像の他の一部を前記第１主面に形成する、請求項２又は請求項５に記載のインクジェット記録装置。
【請求項９】
前記記録媒体の表裏を反転する反転機構と、
前記記録媒体の搬送を制御する搬送制御部と
を更に備え、
前記第１画像は、前記記録媒体の奇数ページに形成される画像を示し、
前記記録媒体は複数であり、
前記搬送制御部は、前記第１主面が下向きに排出されるように前記反転機構で前記記録媒体の表裏を反転して前記記録媒体を排出する、請求項２又は請求項５に記載のインクジェット記録装置。
【発明の詳細な説明】
【技術分野】
【０００１】
本発明は、インクジェット記録装置に関する。
【背景技術】
【０００２】
特許文献１に記載のインクジェット記録装置は、片面印刷か両面印刷かを判別して、片面印刷であればパス回数を第１パス回数に設定し、両面印刷であれば片面を印刷するパス回数を第２パス回数に設定する。第２パス回数は、第１パス回数より大きい。パス回数は、記録ヘッドの位置する方向に向けて用紙を搬送する回数を示す。第２パス回数を第１パス回数より大きくすることによって、用紙の反りを低減できる。
【先行技術文献】
【特許文献】
【０００３】
【特許文献１】特開２００１−７１４７９号公報
【発明の概要】
【発明が解決しようとする課題】
【０００４】
しかしながら、特許文献１に記載のインクジェット記録装置では、１つの画像を複数回の第２パス回数に分けて形成するため、記録ヘッドの制御が複雑になる可能性がある。
【０００５】
例えば、特許文献１には、ベタ画像を複数回に分けて形成する場合に、インクを吐出するノズルのパターンが記載されている。具体的には、ベタ画像を２回に分けて形成する場合に、１回目にインクを吐出するノズルのパターンと、２回目にインクを吐出するノズルのパターンが記載されている。すなわち、複数回に分けて画像を形成する場合には、ノズル毎にインクを吐出するか否かを判定する必要がある。したがって、記録ヘッドの制御が複雑になる可能性がある。
【０００６】
本発明は、上記課題に鑑みてなされたものであり、記録ヘッドを簡素な構成で制御可能なインクジェット記録装置を提供することを目的としている。
【課題を解決するための手段】
【０００７】
本発明に係るインクジェット記録装置は、複数の記録ヘッド、画像形成部、第１算出部、判定部、第２算出部、及び決定部を備える。前記記録ヘッドは、記録媒体に互いに相違する色のインクを吐出する。前記画像形成部は、前記記録ヘッドを介して前記記録媒体に画像を形成する。前記第１算出部は、前記記録媒体の第１主面と第２主面との両方に画像を形成する場合に、第１画像の印字率を示す第１印字率を算出する。前記第１画像は、前記第１主面に形成する画像を示す。前記判定部は、前記第１印字率が所定印字率以上であるか否かを判定する。前記第２算出部は、第１吐出個数を算出する。前記第１吐出個数は、前記画像形成部が前記第１画像を前記記録媒体に形成する際にインクを吐出する前記記録ヘッドの個数を示す。前記第１印字率が前記所定印字率以上であると前記判定部が判定し、且つ前記第１吐出個数が２個以上である場合に、前記決定部は、前記第１画像を複数の回数に分けて前記記録媒体に形成すると決定する。前記画像形成部は、前記決定部の決定に基づき、前記第１吐出個数の前記記録ヘッドの各々から前記複数の回数のうち１回だけインクを吐出する。
【発明の効果】
【０００８】
本発明のインクジェット記録装置によれば、記録ヘッドを簡素な構成で制御できる。
【図面の簡単な説明】
【０００９】
【図１】本実施形態に係るインクジェット記録装置の構成を示す図である。
【図２】本実施形態に係る制御部の構成を示す図である。
【図３】（ａ）第１画像を２回に分けて形成する場合の１回目の印字率及び２回目の印字率の一例を示す図表である。（ｂ）第１画像を２回に分けて形成する場合の１回目の印字率及び２回目の印字率の別の一例を示す図表である。
【図４】画像を形成する順序の一例を示す図表である。
【図５】（ａ）第１所定領域を示す平面図である。（ｂ）第２所定領域を示す平面図である。
【図６】所定距離を示す側面図である。
【図７】（ａ）印字率と反り量との関係を示す図である。（ｂ）経過時間と反り量との関係を示す図である。
【図８】制御部の処理を示すフローチャートである。
【図９】制御部の画像形成処理を示すフローチャートである。
【図１０】制御部の画像形成処理を示すフローチャートである。
【図１１】制御部の画像形成処理を示すフローチャートである。
【発明を実施するための形態】
【００１０】
以下、本発明の実施形態について、図面（図１〜図１１）を参照しながら説明する。なお、図中、同一又は相当部分については同一の参照符号を付して説明を繰り返さない。
【００１１】
まず、図１を参照して、本実施形態に係るインクジェット記録装置１００について説明する。図１は、本実施形態に係るインクジェット記録装置１００の構成を示す図である。インクジェット記録装置１００は、筐体１、給送部２、画像形成部３、搬送部４、排出部５、排出トレイ６及び制御部７を備える。筐体１は、給送部２、画像形成部３、搬送部４、排出部５及び制御部７を収容する。
【００１２】
給送部２は、筐体１の内部の下方に配置される。給送部２は、給送カセット２１及び給送ローラー２２を備える。給送カセット２１は、用紙Ｐを収納し、筐体１に着脱自在である。給送部２は、用紙Ｐを搬送部４に給送する。用紙Ｐは、「記録媒体」の一例に相当する。
【００１３】
搬送部４は、給送部２から給送された用紙Ｐを搬送する。搬送部４は、第１搬送部４１、第２搬送部４２、第３搬送部４３及び第４搬送部４４を含む。第３搬送部４３及び第４搬送部４４は、「反転機構」の一例に相当する。
【００１４】
第１搬送部４１は、給送部２から給送された用紙Ｐを画像形成部３に搬送する。第１搬送部４１は、搬送ローラー対４１１を備える。搬送ローラー対４１１は、用紙Ｐを画像形成タイミングに合わせて画像形成部３に送出する。
【００１５】
第２搬送部４２は、排出部５から排出された用紙Ｐを排出トレイ６又は第３搬送部４３に搬送する。具体的には、用紙Ｐを排出する場合には、第２搬送部４２は、用紙Ｐを排出トレイ６に搬送する。また、用紙Ｐを反転する場合には、第２搬送部４２は、用紙Ｐを第３搬送部４３に搬送する。第２搬送部４２は、排出ローラー対４２１を備える。排出ローラー対４２１は、用紙Ｐを排出トレイ６に送出する。
【００１６】
第３搬送部４３は、第２搬送部４２から送出された用紙Ｐを反転して、第４搬送部４４に送出する。第３搬送部４３は、反転ローラー対４３１を備える。反転ローラー対４３１は、正転可能及び逆転可能に構成される。まず、反転ローラー対４３１は、正転して第２搬送部４２から送出された用紙Ｐを方向Ｄ１に搬送する。そして、反転ローラー対４３１は、用紙Ｐの方向Ｄ１の上流端を挟持した状態で停止する。次に、反転ローラー対４３１は、逆転して用紙Ｐを方向Ｄ２に搬送し、第４搬送部４４に送出する。方向Ｄ２は、方向Ｄ１に対して逆方向を示す。
【００１７】
第４搬送部４４は、反転ローラー対４３１から送出された用紙Ｐを画像形成部３に搬送する。具体的には、第４搬送部４４は、用紙Ｐを搬送ローラー対４１１に搬送する。そして、搬送ローラー対４１１は、第４搬送部４４から送出された用紙Ｐを画像形成タイミングに合わせて画像形成部３に送出する。
【００１８】
用紙Ｐが第３搬送部４３及び第４搬送部４４を搬送されることによって、用紙Ｐは反転される。用紙Ｐが反転されることによって、用紙Ｐの表裏が反転されると共に、記録ヘッド３４の位置する方向に向けて用紙Ｐを搬送する際の用紙Ｐの上流端と用紙Ｐの下流端とが反転される。
【００１９】
画像形成部３は、給送部２の上方に配置される。画像形成部３は、用紙Ｐに画像を形成する。画像形成部３は、押えローラー３１、搬送ベルト３２及び記録ヘッド３４を備える。記録ヘッド３４は、４個の記録ヘッド３４ａ、記録ヘッド３４ｂ、記録ヘッド３４ｃ及び記録ヘッド３４ｄを含む。４個は、「所定個数」の一例に相当する。
【００２０】
押えローラー３１は、記録ヘッド３４に対して方向Ｄ３の上流側に配置される。方向Ｄ３は、用紙Ｐの搬送方向を示す。押えローラー３１は、搬送ローラー対４１１から送出された用紙Ｐを搬送ベルト３２に向けて押圧し、用紙Ｐを記録ヘッド３４に向けて送出する。押えローラー３１は、「搬送ローラー」の一例に相当する。
【００２１】
搬送ベルト３２は、搬送ローラー対４１１から送出された用紙Ｐを、方向Ｄ３に搬送する。具体的には、搬送ベルト３２は、用紙Ｐを記録ヘッド３４の下方を経由して排出部５に向けて送出する。
【００２２】
記録ヘッド３４ａには、シアン色のインクが収納される。記録ヘッド３４ｂには、マゼンタ色のインクが収納される。記録ヘッド３４ｃには、イエロー色のインクが収納される。記録ヘッド３４ｄには、ブラック色のインクが収納される。記録ヘッド３４ａ〜記録ヘッド３４ｄによって、用紙Ｐにカラー画像が形成される。
【００２３】
排出部５は、記録ヘッド３４によって画像が形成された用紙Ｐを第２搬送部４２に送出する。
【００２４】
排出トレイ６は、排出ローラー対４２１から排出された用紙Ｐを載置する。排出トレイ６は、複数の用紙Ｐを積載する。
【００２５】
制御部７は、プロセッサー７１及び記憶部７２を備える。プロセッサー７１は、例えばＣＰＵ（Ｃｅｎｔｒａｌ  Ｐｒｏｃｅｓｓｉｎｇ  Ｕｎｉｔ）を備える。記憶部７２は、半導体メモリーのようなメモリーを備え、ＨＤＤ（Ｈａｒｄ  Ｄｉｓｋ  Ｄｒｉｖｅ）を備えてもよい。記憶部７２は、制御プログラムを記憶している。
【００２６】
本発明の実施形態では、複数の用紙Ｐの第１主面Ｓ１と第２主面Ｓ２との両方に画像を形成する場合について説明する。また、第１主面Ｓ１には、第１画像ＰＴ１が形成される。第２主面Ｓ２には、第２画像ＰＴ２が形成される。第１画像ＰＴ１は、用紙Ｐの奇数ページに形成される画像を示し、第２画像ＰＴ２は、用紙Ｐの奇数ページの次に偶数ページに形成される画像を示す。
【００２７】
次に、図１及び図２を参照して、制御部７の構成について説明する。図２は、制御部７の構成を示す図である。図２に示すように、インクジェット記録装置１００は、パーソナルコンピューター２００と通信可能に接続される。また、制御部７は、受付部７０１、第１算出部７０２、判定部７０３、第２算出部７０４、指示部７０５及び搬送制御部７０６を備える。具体的には、プロセッサー７１が制御プログラムを実行することによって、受付部７０１、第１算出部７０２、判定部７０３、第２算出部７０４、指示部７０５及び搬送制御部７０６として機能する。
【００２８】
受付部７０１は、パーソナルコンピューター２００からプリントジョブＪＢを受け付ける。プリントジョブＪＢは、複数の用紙Ｐの両面に画像を形成するジョブを示す。用紙Ｐは、２つの主面Ｓを有する。２つの主面Ｓは、第１主面Ｓ１と第２主面Ｓ２とで構成される。
【００２９】
第１算出部７０２は、用紙Ｐの第１主面Ｓ１と第２主面Ｓ２との両方に画像を形成する場合に、第１印字率ＲＴ１と第２印字率ＲＴ２とを算出する。第１印字率ＲＴ１及び第２印字率ＲＴ２については、図５を参照して詳細に説明する。
【００３０】
判定部７０３は、第１印字率ＲＴ１が所定印字率以上であるか否かを判定する。また、判定部７０３は、第２印字率ＲＴ２が所定印字率以上であるか否かを判定する。所定印字率は、例えば、基準印字率ＲＴＡを示す。基準印字率ＲＴＡについては、図７を参照して詳細に説明する。
【００３１】
第２算出部７０４は、第１吐出個数Ｎ１及び第２吐出個数Ｎ２を算出する。第１吐出個数Ｎ１は、画像形成部３が第１画像ＰＴ１を用紙Ｐに形成する際にインクを吐出する記録ヘッド３４の個数を示す。また、第２吐出個数Ｎ２は、画像形成部３が第２画像ＰＴ２を用紙Ｐに形成する際にインクを吐出する記録ヘッド３４の個数を示す。
【００３２】
指示部７０５の指示に基づいて、画像形成部３は、第１主面Ｓ１に第１画像ＰＴ１を形成する。また、第１印字率ＲＴ１が基準印字率ＲＴＡ以上であると判定部７０３が判定し、且つ第１吐出個数Ｎ１が２個以上である場合には、指示部７０５は、指示部７０５は、第１画像ＰＴ１を複数回数ＮＰ１に分けて用紙Ｐに形成すると決定する。画像形成部３は、指示部７０５の決定に基づき、第１吐出個数Ｎ１の記録ヘッド３４の各々から複数回数ＮＰ１のうち１回だけインクを吐出する。指示部７０５は、「決定部」の一例に相当する。
【００３３】
また、指示部７０５の指示に基づいて、画像形成部３は、第２主面Ｓ２に第２画像ＰＴ２を形成する。また、第２印字率ＲＴ２が基準印字率ＲＴＡ以上であると判定部７０３が判定し、且つ第２吐出個数Ｎ２が２個以上である場合には、指示部７０５は、第２画像ＰＴ２を複数回数ＮＰ２に分けて用紙Ｐに形成すると決定する。画像形成部３は、指示部７０５の決定に基づき、第２吐出個数Ｎ２の記録ヘッド３４の各々から複数回数ＮＰ２のうち１回だけインクを吐出する。
【００３４】
搬送制御部７０６は、用紙Ｐの搬送を制御する。具体的には、搬送制御部７０６は、搬送部４の動作を制御する。
【００３５】
以上、図１及び図２を参照して説明したように、本発明の実施形態では、第１印字率ＲＴ１が所定印字率以上であり、且つ第１吐出個数Ｎ１が２個以上である場合に、画像形成部３は、第１吐出個数Ｎ１の記録ヘッド３４の各々から複数回数ＮＰ１のうち１回だけインクを吐出する。したがって、第１画像ＰＴ１を複数回数ＮＰ１に分けて用紙Ｐに形成するため、第１画像ＰＴ１が形成されることによる用紙Ｐの反りの大きさを低減できる。また、第１吐出個数Ｎ１の記録ヘッド３４の各々から複数回数ＮＰ１のうち１回だけインクを吐出するため、記録ヘッド３４を簡素な構成で制御できる。
【００３６】
また、第１印字率ＲＴ１が基準印字率ＲＴＡ以上である場合には、第２画像ＰＴ２を用紙Ｐに形成する際に、第１画像ＰＴ１が用紙Ｐに形成されて発生する用紙Ｐの反りに起因して、用紙Ｐが記録ヘッド３４と接触する可能性がある。また、第１画像ＰＴ１を複数回数ＮＰ１に分けて用紙Ｐに形成するため、第１画像ＰＴ１が形成されることによる用紙Ｐの反りの大きさを低減できる。したがって、用紙Ｐが記録ヘッド３４と接触する可能性を低減できる。
【００３７】
次に、図１〜図３を参照して、画像形成部３が、第１画像ＰＴ１を２回に分けて用紙Ｐに形成する場合の１回目の印字率及び２回目の印字率について説明する。図３（ａ）は、第１画像ＰＴ１を２回に分けて形成する場合の１回目の印字率及び２回目の印字率の一例を示す図表である。
【００３８】
「印字率」とは、用紙Ｐに形成される画像の積算面積ＳＲ１の、用紙Ｐの面積ＳＲ２に対する比率（ＳＲ１／ＳＲ２）のことである。具体的には、積算面積ＳＲ１は、記録ヘッド３４ａが用紙Ｐに形成する画像の積算面積と、記録ヘッド３４ｂが用紙Ｐに形成する画像の積算面積と、記録ヘッド３４ｃが用紙Ｐに形成する画像の積算面積と、記録ヘッド３４ｄが用紙Ｐに形成する画像の積算面積との和を示す。
【００３９】
図３（ａ）において、欄「色」に記録ヘッド３４ａ〜記録ヘッド３４ｄの各々から吐出するインクの色を示し、欄「印字率（％）」に第１印字率ＲＴ１の一例を示し、欄「１回目の印字率（％）」に画像ＰＴ１１の印字率の一例を示し、欄「２回目の印字率（％）」に画像ＰＴ１２の印字率の一例を示す。画像ＰＴ１１は、第１画像ＰＴ１を形成するために、画像形成部３が１回目に形成する画像を示す。画像ＰＴ１２は、第１画像ＰＴ１を形成するために、画像形成部３が２回目に形成する画像を示す。
【００４０】
図３（ａ）に示すように、第１画像ＰＴ１を用紙Ｐに形成する際にインクを吐出する記録ヘッド３４の個数は４個（記録ヘッド３４ａ〜記録ヘッド３４ｄ）である。すなわち、第１吐出個数Ｎ１は、４個である。また、第１画像ＰＴ１では、シアン色の画像の印字率が３０％であり、マゼンタ色の画像の印字率が４０％であり、イエロー色の画像の印字率が５０％であり、ブラック色の画像の印字率が６０％である。そこで、第１印字率ＲＴ１は、１８０％（＝３０＋４０＋５０＋６０）である。
【００４１】
図１を参照して説明したように、記録ヘッド３４は、４つの記録ヘッド３４ａ〜記録ヘッド３４ｄで構成される。すなわち、第１吐出個数Ｎ１は、４個以下である。また、記録ヘッド３４ａ〜記録ヘッド３４ｄの各々には、互いに相違する色のインクが収納される。よって、第１吐出個数Ｎ１は、第１画像ＰＴ１を形成するために使用するインク色の個数を示す。
【００４２】
また、基準印字率ＲＴＡは、例えば、１００％を示す。第１印字率ＲＴ１が基準印字率ＲＴＡ以上であり、且つ第１吐出個数Ｎ１が２個以上であるため、画像形成部３は、第１画像ＰＴ１を２回に分けて用紙Ｐに形成すると共に、第１吐出個数Ｎ１の記録ヘッド３４の各々から２回のうち１回だけインクを吐出する。
【００４３】
具体的には、画像ＰＴ１１を形成する際に、記録ヘッド３４ａはシアン色のインクを吐出し、記録ヘッド３４ｄはブラック色のインクを吐出し、記録ヘッド３４ｂ及び記録ヘッド３４ｃはインクを吐出しない。また、画像ＰＴ１１では、シアン色の画像の印字率が３０％であり、ブラック色の画像の印字率が６０％である。よって、画像ＰＴ１１の印字率は、９０％（＝３０＋６０）であり、基準印字率ＲＴＡ未満である。
【００４４】
また、画像ＰＴ１２を形成する際に、記録ヘッド３４ｂはマゼンタ色のインクを吐出し、記録ヘッド３４ｃはイエロー色のインクを吐出し、記録ヘッド３４ａ及び記録ヘッド３４ｄはインクを吐出しない。また、画像ＰＴ１２では、マゼンタ色の画像の印字率が４０％であり、イエロー色の画像の印字率が５０％である。よって、画像ＰＴ１２の印字率は、９０％（＝４０＋５０）であり、基準印字率ＲＴＡ未満である。
【００４５】
図３（ｂ）は、第１画像ＰＴ１を２回に分けて形成する場合の１回目の印字率と２回目の印字率の別の一例を示す図表である。図３（ｂ）は、第１吐出個数Ｎ１が３個である点で、第１吐出個数Ｎ１が４個である図３（ａ）とは相違する。以下、図３（ａ）と相違する点について主に説明する。
【００４６】
図３（ｂ）に示すように、第１画像ＰＴ１を用紙Ｐに形成する際にインクを吐出する記録ヘッド３４の個数は３個（記録ヘッド３４ｂ〜記録ヘッド３４ｄ）である。すなわち、第１吐出個数Ｎ１は、３個である。また、第１画像ＰＴ１では、シアン色の画像の印字率が０％であり、マゼンタ色の画像の印字率が８０％であり、イエロー色の画像の印字率が２０％であり、ブラック色の画像の印字率が４０％である。そこで、第１印字率ＲＴ１は、１４０％（＝８０＋２０＋４０）である。
【００４７】
また、基準印字率ＲＴＡは、例えば、１００％を示す。第１印字率ＲＴ１が基準印字率ＲＴＡ以上であり、且つ第１吐出個数Ｎ１が２個以上であるため、画像形成部３は、第１画像ＰＴ１を２回に分けて用紙Ｐに形成すると共に、第１吐出個数Ｎ１の記録ヘッド３４の各々から２回のうち１回だけインクを吐出する。
【００４８】
具体的には、画像ＰＴ１１を形成する際に、記録ヘッド３４ｃはイエロー色のインクを吐出し、記録ヘッド３４ｄはブラック色のインクを吐出し、記録ヘッド３４ａ及び記録ヘッド３４ｂはインクを吐出しない。また、画像ＰＴ１１では、イエロー色の画像の印字率が２０％であり、ブラック色の画像の印字率が４０％である。よって、画像ＰＴ１１の印字率は、６０％（＝２０＋４０）であり、基準印字率ＲＴＡ未満である。
【００４９】
また、画像ＰＴ１２を形成する際に、記録ヘッド３４ｂはマゼンタ色のインクを吐出し、記録ヘッド３４ａ、記録ヘッド３４ｃ及び記録ヘッド３４ｄはインクを吐出しない。また、画像ＰＴ１２では、マゼンタ色の画像の印字率が８０％である。よって、画像ＰＴ１２の印字率は、８０％であり、基準印字率ＲＴＡ未満である。
【００５０】
以上、図１〜図３を参照して説明したように、本発明の実施形態では、指示部７０５は、画像ＰＴ１１の印字率が基準印字率ＲＴＡより小さくなるように、画像ＰＴ１１を形成する際にインクを吐出する記録ヘッド３４を決定する。また、指示部７０５は、画像ＰＴ１２の印字率が、基準印字率ＲＴＡより小さくなるように、画像ＰＴ１２を形成する際にインクを吐出する記録ヘッド３４を決定する。したがって、用紙Ｐが記録ヘッド３４と接触する可能性を更に低減できる。
【００５１】
次に、図１〜図４を参照して、画像形成部３が用紙Ｐに画像を形成する順序について説明する。図４は、画像形成部３が用紙Ｐに画像を形成する順序の一例を示す図表である。図４では、ケースＡ〜ケースＦの７つのケースについて説明する。図４において欄「第１条件」は、第１印字率ＲＴ１と第２印字率ＲＴ２との大小関係を示す。欄「第２条件」は、第１印字率ＲＴ１及び第２印字率ＲＴ２と基準印字率ＲＴＡとの大小関係を示す。欄「画像を形成する順序」は、画像形成部３が用紙Ｐに画像を形成する順序を示す。
【００５２】
図４に示す「画像を形成する順序」においては、第１印字率ＲＴ１が基準印字率ＲＴＡより大きい場合に、画像形成部３は、第１画像ＰＴ１を２回に分けて用紙Ｐに形成する。また、第２印字率ＲＴ２が基準印字率ＲＴＡより大きい場合に、画像形成部３は、第２画像ＰＴ２を２回に分けて用紙Ｐに形成する。すなわち、第１吐出個数Ｎ１が２個以上であり、第２吐出個数Ｎ２が２個以上である。また、複数回数ＮＰ１は２回を示し、複数回数ＮＰ２は２回を示す。
【００５３】
まず、ケースＡについて説明する。第１印字率ＲＴ１は、第２印字率ＲＴ２以上である。また、第１印字率ＲＴ１は、基準印字率ＲＴＡ未満である。したがって、指示部７０５は、第１画像ＰＴ１を１回で用紙Ｐに形成し、第２画像ＰＴ２を１回で用紙Ｐに形成すると決定する。
【００５４】
画像形成部３は以下の順序で画像を形成する。まず、画像形成部３は、用紙Ｐの第１主面Ｓ１に、第１画像ＰＴ１を形成する。そして、搬送制御部７０６が用紙Ｐを反転する。次に、画像形成部３が用紙Ｐの第２主面Ｓ２に第２画像ＰＴ２を形成する。そして、搬送制御部７０６が、第２搬送部４２を経由して用紙Ｐを排出トレイ６に排出する。
【００５５】
次に、ケースＢについて説明する。第１印字率ＲＴ１は、基準印字率ＲＴＡ以上であり、第２印字率ＲＴ２は、基準印字率ＲＴＡ未満である。したがって、指示部７０５は、第１画像ＰＴ１を２回で用紙Ｐに形成し、第２画像ＰＴ２を１回で用紙Ｐに形成すると決定する。
【００５６】
画像形成部３は以下の順序で画像を形成する。まず、画像形成部３は、用紙Ｐの第１主面Ｓ１に、画像ＰＴ１１を形成する。そして、搬送制御部７０６が用紙Ｐを反転する。次に、画像形成部３が用紙Ｐの第２主面Ｓ２に第２画像ＰＴ２を形成する。そして、搬送制御部７０６が用紙Ｐを反転する。次に、画像形成部３が用紙Ｐの第１主面Ｓ１に画像ＰＴ１２を形成する。そして、搬送制御部７０６が用紙Ｐを反転した後、搬送制御部７０６が第２搬送部４２を経由して用紙Ｐを排出トレイ６に排出する。
【００５７】
次に、ケースＣについて説明する。第１印字率ＲＴ１は、第２印字率ＲＴ２以上である。また、第２印字率ＲＴ２は、基準印字率ＲＴＡ以上である。したがって、指示部７０５は、第１画像ＰＴ１を２回で用紙Ｐに形成し、第２画像ＰＴ２を２回で用紙Ｐに形成すると決定する。
【００５８】
画像形成部３は以下の順序で画像を形成する。まず、画像形成部３は、用紙Ｐの第１主面Ｓ１に、画像ＰＴ１１を形成する。そして、搬送制御部７０６が用紙Ｐを反転する。次に、画像形成部３が用紙Ｐの第２主面Ｓ２に画像ＰＴ２１を形成する。そして、搬送制御部７０６が用紙Ｐを反転する。次に、画像形成部３が用紙Ｐの第１主面Ｓ１に画像ＰＴ１２を形成する。そして、搬送制御部７０６が用紙Ｐを反転する。次に、画像形成部３が用紙Ｐの第２主面Ｓ２に画像ＰＴ２１を形成する。そして、搬送制御部７０６が第２搬送部４２を経由して用紙Ｐを排出トレイ６に排出する。
【００５９】
ケースＤは、ケースＡと比較して、第１印字率ＲＴ１と第２印字率ＲＴ２との大小関係のみが相違する。よって、ケースＥにおいて用紙Ｐに画像を形成する順序は、ケースＡにおいて用紙Ｐに画像を形成する順序と同一である。また、ケースＦは、ケースＣと比較して、第１印字率ＲＴ１と第２印字率ＲＴ２との大小関係のみが相違する。よってケースＦにおいて用紙Ｐに画像を形成する順序は、ケースＣにおいて用紙Ｐに画像を形成する順序と同一である。したがって、ケースＤとケースＦとについては、その説明を省略する。
【００６０】
次に、ケースＥについて説明する。第２印字率ＲＴ２は、基準印字率ＲＴＡ以上であり、第１印字率ＲＴ１は、基準印字率ＲＴＡ未満である。したがって、指示部７０５は、第１画像ＰＴ１を１回で用紙Ｐに形成し、第２画像ＰＴ２を２回で用紙Ｐに形成すると決定する。
【００６１】
画像形成部３は以下の順序で画像を形成する。まず、画像形成部３は、用紙Ｐの第２主面Ｓ２に画像ＰＴ２１を形成する。そして搬送制御部７０６が用紙Ｐを反転する。次に、画像形成部３が用紙Ｐの第１主面Ｓ１に第１画像ＰＴ１を形成する。そして、搬送制御部７０６が用紙Ｐを反転する。次に、画像形成部３が用紙Ｐの第２主面Ｓ２に画像ＰＴ２２を形成する。そして、搬送制御部７０６が、第２搬送部４２を経由して用紙Ｐを排出トレイ６に排出する。
【００６２】
以上、図１〜図４を参照して説明したように、本発明の実施形態では、指示部７０５は、第１印字率ＲＴ１と基準印字率ＲＴＡとの大小関係、及び第２印字率ＲＴ２と基準印字率ＲＴＡとの大小関係に基づいて、指示部７０５が用紙Ｐに画像を形成する順序を決定する。そして、搬送制御部７０６は、画像形成部３が用紙Ｐに画像を形成する順序に応じて、搬送部４の動作を制御する。したがって、簡素な制御で用紙Ｐに第１画像ＰＴ１及び第２画像ＰＴ２を形成できる。
【００６３】
また、ケースＢで説明したように、画像形成部３は、第１主面Ｓ１と第２主面Ｓ２とに交互に画像を形成する。したがって、画像形成部３は効率的に第１画像ＰＴ１及び第２画像ＰＴ２を用紙Ｐに形成できる。
【００６４】
更に、ケースＣで説明したように、第１画像ＰＴ１及び第２画像ＰＴ２の形成処理が完了した後に搬送制御部７０６が用紙Ｐを反転して用紙Ｐを排出するため、第１画像ＰＴ１が形成された第１主面Ｓが下向きに排出される。したがって画像が形成された用紙Ｐをページ順に排出トレイ６に積載できる。
【００６５】
また、ケースＥで第１画像ＰＴ１が形成された第１主面Ｓが下向きに排出されるため、画像が形成された用紙Ｐをページ順に排出トレイ６に積載できる。また、画像ＰＴ２１、第１画像ＰＴ１及び画像ＰＴ２２の順に形成することによって、用紙Ｐを反転して排出する必要がない。したがって、用紙Ｐに効率的に第１画像ＰＴ１及び第２画像ＰＴ２を形成できる。
【００６６】
次に、図５を参照して、第１印字率ＲＴ１及び第２印字率ＲＴ２について説明する。図５では、画像形成部３が、第１画像ＰＴ１を１回で用紙Ｐに形成し、第２画像ＰＴ２を１回で用紙Ｐに形成する場合について説明する。図５（ａ）は、第１所定領域ＡＲ１を示す平面図である。
【００６７】
図５（ａ）に示すように、用紙Ｐは、記録ヘッド３４に向けて方向Ｄ３に搬送される。方向Ｄ３は、用紙Ｐの搬送方向を示す。図５（ａ）では、記録ヘッド３４のうち、方向Ｄ３の最も上流側に配置された記録ヘッド３４ａを示す。用紙Ｐには記録ヘッド３４によって第１画像ＰＴ１が形成される。用紙Ｐに第１画像ＰＴ１を形成するために、記録ヘッド３４の位置する方向に向けて用紙Ｐを搬送する。第１所定領域ＡＲ１は、記録ヘッド３４の位置する方向に向けて用紙Ｐを搬送する時の用紙Ｐの搬送方向（方向Ｄ３）の上流端から所定距離Ｌまでの領域を示す。図５（ａ）では、第１所定領域ＡＲ１に網掛けを付して記載している。所定距離Ｌについては、図６を参照して詳細に説明する。
【００６８】
第１印字率ＲＴ１は、第１画像ＰＴ１を用紙Ｐに形成する際の用紙Ｐの第１所定領域ＡＲ１の印字率を示す。
【００６９】
図５（ｂ）は、第２所定領域ＡＲ２を示す平面図である。図５（ｂ）に示すように、用紙Ｐは、記録ヘッド３４に向けて方向Ｄ３に搬送される。図５（ｂ）では、記録ヘッド３４のうち、方向Ｄ３の最も上流側に配置された記録ヘッド３４ａを示す。用紙Ｐには記録ヘッド３４によって第２画像ＰＴ２が形成される。用紙Ｐに第２画像ＰＴ２を形成するために、記録ヘッド３４の位置する方向に向けて用紙Ｐを搬送する。第２所定領域ＡＲ２は、記録ヘッド３４の位置する方向に向けて用紙Ｐを搬送する時の用紙Ｐの搬送方向（方向Ｄ３）の上流端から所定距離Ｌまでの領域を示す。図５（ｂ）では、第２所定領域ＡＲ２に網掛けを付して記載している。
【００７０】
第２印字率ＲＴ２は、第２画像ＰＴ２を用紙Ｐに形成する際の用紙Ｐの第２所定領域ＡＲ２の印字率を示す。
【００７１】
以上、図５を参照して説明したように、本発明の実施形態では、第１主面Ｓ１に第１画像ＰＴ１を形成する際に、記録ヘッド３４の位置する方向に向けて用紙Ｐを搬送する時の用紙Ｐの搬送方向の上流端は、第２主面Ｓ２に第２画像ＰＴ２を形成する際に、記録ヘッド３４の位置する方向に向けて用紙Ｐを搬送する時の用紙Ｐの搬送方向の下流端に相当する。また、用紙Ｐの搬送方向の下流端の反りが大きい程、記録ヘッド３４の位置する方向に向けて用紙Ｐを搬送する際に、用紙Ｐが記録ヘッド３４と接触する可能性が高くなる。更に、印字率が大きい程、用紙Ｐの反りが大きくなる。したがって、第１所定領域ＡＲ１における印字率、及び第２所定領域ＡＲ２における印字率に基づいて、用紙Ｐが記録ヘッド３４と接触する可能性を的確に評価できる。第１所定領域ＡＲ１における印字率は、第１印字率ＲＴ１に対応する。第２所定領域ＡＲ２における印字率は、第２印字率ＲＴ２に対応する。
【００７２】
なお、本発明の実施形態では、第１印字率ＲＴ１及び基準印字率ＲＴＡに基づいて、指示部７０５が第１画像ＰＴ１を複数回数ＮＰ１に分けて用紙Ｐに形成するか否かを決定するが、本発明はこれに限定されない。第１インク量及び基準インク量に基づいて、指示部７０５が第１画像ＰＴ１を複数回数ＮＰ１に分けて用紙Ｐに形成するか否かを決定してもよい。第１インク量は、記録ヘッド３４から第１所定領域ＡＲ１に吐出されるインク量を示す。基準インク量は、基準印字率ＲＴＡで画像が形成されるときに第１所定領域ＡＲ１に吐出されるインク量を示す。
【００７３】
次に、図６を参照して、所定距離Ｌについて説明する。図６は、所定距離Ｌを示す側面図である。図６では、画像形成部３が、第１画像ＰＴ１を１回で用紙Ｐに形成し、第２画像ＰＴ２を１回で用紙Ｐに形成する場合について説明する。図６に示すように、用紙Ｐは、搬送ベルト３２上に載置され、記録ヘッド３４ａの位置する方向に向けて方向Ｄ３に搬送される。押えローラー３１は、記録ヘッド３４に対して方向Ｄ３の上流側に配置される。
【００７４】
所定距離Ｌは、記録ヘッド３４ａの位置する方向に向かう用紙Ｐの搬送方向の上流端と、押えローラー３１との間の距離と一致する。用紙Ｐの下面ＳＤに画像が形成されている場合には、用紙Ｐは、上方向を示す方向Ｄ４に反る。すなわち、画像はインクで形成され、インクが用紙Ｐに付着するとインクの溶媒が用紙Ｐに含浸して用紙Ｐが膨張するため、用紙Ｐは方向Ｄ４に反る。用紙Ｐの下面ＳＤのうち、押えローラー３１に対して用紙Ｐの搬送方向の下流側の部分は、第１所定領域ＡＲ１又は第２所定領域ＡＲ２に相当する。
【００７５】
用紙Ｐの反り量Ｃが、距離ＣＡより大きい場合には、用紙Ｐが記録ヘッド３４に衝突する可能性がある。反り量Ｃは用紙Ｐの反りの大きさを示す。距離ＣＡは、記録ヘッド３４の下面３４１と搬送面ＤＳとの間の距離を示す。具体的には、反り量Ｃは、用紙Ｐの先端Ｐ１と搬送面ＤＳとの間の距離を示す。先端Ｐ１は、用紙Ｐの搬送方向の下流端を示す。搬送面ＤＳは、搬送ベルト３２の記録ヘッド３４と対向する側の面を示す。
【００７６】
以上、図６を参照して説明したように、本発明の実施形態では、所定距離Ｌは、記録ヘッド３４の用紙Ｐの搬送方向の上流端と、押えローラー３１との間の距離と一致する。用紙Ｐが記録ヘッド３４に向けて搬送される際に、用紙Ｐは押えローラー３１によって搬送面ＤＳに押圧される。よって、第１所定領域ＡＲ１（又は第２所定領域ＡＲ２）における印字率が高い程、用紙Ｐが記録ヘッド３４と接触する可能性が高くなる。したがって、第１所定領域ＡＲ１（又は第２所定領域ＡＲ２）における印字率に基づいて、用紙Ｐが記録ヘッド３４と接触する可能性を更に的確に評価できる。
【００７７】
次に、図７を参照して、基準印字率ＲＴＡについて説明する。基準印字率ＲＴＡは、用紙Ｐの反りの大きさが所定の大きさとなる印字率を示す。以下、図７を参照して、基準印字率ＲＴＡについて詳細に説明する。図７では、画像形成部３が、第１画像ＰＴ１を１回で用紙Ｐに形成し、第２画像ＰＴ２を１回で用紙Ｐに形成する場合について説明する。図７（ａ）は、印字率ＲＴと反り量Ｃとの関係を示す図である。横軸は、第１所定領域ＡＲ１（又は第２所定領域ＡＲ２）における印字率ＲＴを示す、縦軸は反り量Ｃを示す。
【００７８】
グラフＧ１は、印字率ＲＴと反り量Ｃとの関係を示す。グラフＧ１に示すように、印字率ＲＴが大きい程、反り量Ｃは大きい。反り量Ｃが距離ＣＡに一致するような印字率ＲＴを、基準印字率ＲＴＡと規定する。すなわち、印字率ＲＴが基準印字率ＲＴＡと一致する場合には、反り量Ｃは距離ＣＡと一致する。
【００７９】
図７（ｂ）は、経過時間Ｔと反り量Ｃとの関係を示す図である。横軸は経過時間Ｔを示し、縦軸は反り量Ｃを示す。経過時間Ｔは、画像形成部３が用紙Ｐに画像を形成した時点からの経過時間を示す。具体的には、経過時間Ｔは、画像形成部３が用紙Ｐの第１所定領域ＡＲ１（又は第２所定領域ＡＲ２）に画像を形成した時点からの経過時間を示す。
【００８０】
また、経過時間Ｔが基準経過時間ＴＡと一致する場合には、用紙Ｐが第３搬送部４３及び第４搬送部４４を経由して、記録ヘッド３４に到達する。具体的には、用紙Ｐの搬送方向の先端が、記録ヘッド３４の用紙Ｐの搬送方向の上流端に対向する位置に到達する。すなわち、基準経過時間ＴＡは、画像形成部３によって用紙Ｐに画像が形成された時点から、用紙Ｐが第３搬送部４３及び第４搬送部４４を経由して、記録ヘッド３４に到達するまでの時間を示す。
【００８１】
グラフＧ２１は、印字率ＲＴが基準印字率ＲＴＡである場合の経過時間Ｔと反り量Ｃとの関係を示す。グラフＧ２１に示すように、経過時間Ｔが増大するにつれて、反り量Ｃは急激に増大する。そして、経過時間Ｔが経過時間ＴＭと一致したときに、反り量Ｃが最大になる。その後、経過時間Ｔが増大するにつれて、反り量Ｃは徐々に減少する。また、経過時間Ｔが基準経過時間ＴＡと一致するときに、反り量Ｃは距離ＣＡと一致する。
【００８２】
グラフＧ２２は、印字率ＲＴが基準印字率ＲＴＡより大きい場合の経過時間Ｔと反り量Ｃとの関係を示す。グラフＧ２２に示すように、経過時間Ｔが増大するにつれて、反り量Ｃは急激に増大する。そして、経過時間Ｔが経過時間ＴＭと一致したときに、反り量Ｃが最大になる。その後、経過時間Ｔが増大するにつれて、反り量Ｃは徐々に減少する。また、経過時間Ｔが基準経過時間ＴＡと一致するときには、反り量Ｃは距離ＣＡより大きい。したがって、仮にこの状態で画像形成部３が用紙Ｐに画像を形成するときには、用紙Ｐが記録ヘッド３４に接触する可能性がある。
【００８３】
以上、図７を参照して説明したように、本発明の実施形態では、基準印字率ＲＴＡは、例えば、基準印字率ＲＴＡ以上の印字率ＲＴで画像が形成された場合に、記録ヘッド３４に用紙Ｐが接触する可能性がある印字率を示す。また、第１印字率ＲＴ１が基準印字率ＲＴＡ以上であると判定部７０３が判定した場合に、指示部７０５は、第１画像ＰＴ１を複数回数ＮＰ１に分けて用紙Ｐに形成すると決定する。したがって、指示部７０５が第１画像ＰＴ１を複数の回数に分けて用紙Ｐに形成するか否かを適切に決定できる。同様に、指示部７０５が第２画像ＰＴ２を複数の回数に分けて用紙Ｐに形成するか否かを適切に決定できる。
【００８４】
また、基準印字率ＲＴＡは、用紙Ｐの第１所定領域ＡＲ１又は第２所定領域ＡＲ２の反り量Ｃが、距離ＣＡと一致するような印字率を示す。したがって、基準印字率ＲＴＡに基づいて、指示部７０５が第１画像ＰＴ１を複数の回数に分けて用紙Ｐに形成するか否かを更に適切に決定できる。同様に、指示部７０５が第２画像ＰＴ２を複数の回数に分けて用紙Ｐに形成するか否かを更に適切に決定できる。
【００８５】
次に、図２〜図８を参照して、制御部７の処理について説明する。図８は、制御部７の処理を示すフローチャートである。
図８に示すように、まず、ステップＳ１０１において、受付部７０１が、パーソナルコンピューター２００からプリントジョブＪＢを受け付ける。
次に、ステップＳ１０３において、制御部７が、プリントジョブＪＢが両面印刷を示すか否かを判定する。「両面印刷」とは、用紙Ｐの第１主面Ｓ１と第２主面Ｓ２との両方に画像を形成することを意味する。
プリントジョブＪＢが両面印刷を示さないと制御部７が判定した場合（ステップＳ１０３でＮＯ）には、処理が終了する。プリントジョブＪＢが両面印刷を示すと制御部７が判定した場合（ステップＳ１０３でＹＥＳ）には、処理がステップＳ１０５に進む。
そして、ステップＳ１０５において、制御部７が、枚数Ｎを「１」に設定する。
次に、ステップＳ１０７において、第１算出部７０２が、Ｎ枚目の用紙Ｐに形成する第１画像ＰＴ１と第２画像ＰＴ２とを読み出す。
次に、ステップＳ１０９において、制御部７が、Ｎ枚目の用紙Ｐに対して「画像形成処理」を実行する。「画像形成処理」は、Ｎ枚目の用紙Ｐの両面に画像を形成する処理を示す。
次に、ステップＳ１１１において、制御部７が、プリントジョブＪＢが完了したか否かを判定する。
プリントジョブＪＢが完了していないと制御部７が判定した場合（ステップＳ１１１でＮＯ）には、処理がステップＳ１１３に進む。
そして、ステップＳ１１３において、制御部７が、枚数Ｎを「１」だけインクリメントして、処理がステップＳ１０７に戻る。
プリントジョブＪＢが完了したと制御部７が判定した場合（ステップＳ１１１でＹＥＳ）には、処理が終了する。
【００８６】
次に、図２〜図１１を参照して、制御部７の画像形成処理について説明する。図９〜図１１は、制御部７の画像形成処理を示すフローチャートである。なお、図９〜図１１に示すフローチャートでは、図４に示す順序で画像を形成する。
図９に示すように、まず、ステップＳ２０１において、第１算出部７０２が、第１印字率ＲＴ１と第２印字率ＲＴ２とを算出する。
次に、ステップＳ２０３において、判定部７０３は、第１印字率ＲＴ１及び第２印字率ＲＴ２が下記の式（１）を満たすか否かを判定する。
ＲＴ２≧ＲＴＡ＞ＲＴ１      （１）
すなわち、第２印字率ＲＴ２が基準印字率ＲＴＡ以上であり、且つ第１印字率ＲＴ１が基準印字率ＲＴＡ未満であるか否かを判定部７０３が判定する。
第１印字率ＲＴ１及び第２印字率ＲＴ２が式（１）を満たすと判定部７０３が判定した場合（ステップＳ２０３でＹＥＳ）には、処理が図１１のステップＳ２３５に進む。第１印字率ＲＴ１及び第２印字率ＲＴ２が式（１）を満たさないと判定部７０３が判定した場合（ステップＳ２０３でＮＯ）には、処理がステップＳ２０５に進む。
【００８７】
そして、ステップＳ２０５において、判定部７０３が、第１印字率ＲＴ１が基準印字率ＲＴＡ以上であるか否かを判定する。
第１印字率ＲＴ１が基準印字率ＲＴＡ以上であると判定部７０３が判定した場合（ステップＳ２０５でＹＥＳ）には、処理がステップＳ２１１に進む。第１印字率ＲＴ１が基準印字率ＲＴＡ以上ではないと判定部７０３が判定した場合（ステップＳ２０５でＮＯ）には、処理がステップＳ２０７に進む。
そして、ステップＳ２０７において、搬送制御部７０６が、用紙Ｐを給送部２から画像形成部３に給送した後、画像形成部３が用紙Ｐの第１主面Ｓ１に第１画像ＰＴ１を形成する。
次に、ステップＳ２０９において、搬送制御部７０６が用紙Ｐを反転した後、画像形成部３が第２主面Ｓ２に第２画像ＰＴ２を形成する。その後、搬送制御部７０６が、用紙Ｐを排出トレイ６に排出し、処理が図８のステップＳ１１１に戻る。
【００８８】
ステップＳ２０５でＹＥＳの場合には、ステップＳ２１１において、指示部７０５は、第１画像ＰＴ１を２回に分けて形成すると決定する。
次に、ステップＳ２１３において、指示部７０５は、１回目の画像形成時にインクを吐出する記録ヘッド３４を決定する。具体的には、指示部７０５は、記録ヘッド３４ａ〜記録ヘッド３４ｄのうち、画像Ｐ１１を形成する時にインクを吐出する記録ヘッド３４を決定する。
次に、ステップＳ２１５において、搬送制御部７０６が、用紙Ｐを給送部２から画像形成部３に給送した後、画像形成部３が用紙Ｐの第１主面Ｓ１に画像ＰＴ１１を形成する。その後、処理が図１０に示すステップＳ２１７に進む。
【００８９】
次に、図１０に示すように、ステップＳ２１７において、判定部７０３が、第２印字率ＲＴ２が基準印字率ＲＴＡ以上であるか否かを判定する。
第２印字率ＲＴ２が基準印字率ＲＴＡ以上ではないと判定部７０３が判定した場合（ステップＳ２１７でＮＯ）には、処理がステップＳ２１９に進む。
そして、ステップＳ２１９において、搬送制御部７０６が用紙Ｐを反転した後、画像形成部３が第２主面Ｓ２に第２画像ＰＴ２を形成する。その後、処理がステップＳ２２７に進む。
【００９０】
第２印字率ＲＴ２が基準印字率ＲＴＡ以上であると判定部７０３が判定した場合（ステップＳ２１７でＹＥＳ）には、処理がステップＳ２２１に進む。
そして、ステップＳ２２１において、指示部７０５は、第２画像ＰＴ２を２回に分けて形成すると決定する。
次に、ステップＳ２２３において、指示部７０５は、１回目の画像形成時にインクを吐出する記録ヘッド３４を決定する。具体的には、指示部７０５は、記録ヘッド３４ａ〜記録ヘッド３４ｄのうち、画像Ｐ２１を形成する時にインクを吐出する記録ヘッド３４を決定する。
次に、ステップＳ２２５において、搬送制御部７０６が用紙Ｐを反転した後、画像形成部３が第２主面Ｓ２に画像ＰＴ２１を形成する。
次に、ステップＳ２２７において、搬送制御部７０６が用紙Ｐを反転した後、画像形成部３が第１主面Ｓ１に画像ＰＴ１２を形成する。
【００９１】
次に、ステップＳ２２９において、判定部７０３が、第２印字率ＲＴ２が基準印字率ＲＴＡ以上であるか否かを判定する。
第２印字率ＲＴ２が基準印字率ＲＴＡ以上であると判定部７０３が判定した場合（ステップＳ２２９でＹＥＳ）には、処理がステップＳ２３１に進む。
そして、ステップＳ２３１において、搬送制御部７０６が用紙Ｐを反転した後、画像形成部３が第２主面Ｓ２に画像ＰＴ２２を形成する。その後、搬送制御部７０６が、用紙Ｐを排出トレイ６に排出し、処理が図８のステップＳ１１１に戻る。画像ＰＴ２２は、第２画像ＰＴ２を形成するために、画像形成部３が２回目に形成する画像を示す。
第２印字率ＲＴ２が基準印字率ＲＴＡ以上ではないと判定部７０３が判定した場合（ステップＳ２２９でＮＯ）には、処理がステップＳ２３３に進む。
そして、ステップＳ２３３において、搬送制御部７０６が用紙Ｐを反転した後、搬送制御部７０６が、用紙Ｐを排出トレイ６に排出し、処理が図８のステップＳ１１１に戻る。
【００９２】
図９のステップＳ２０３でＹＥＳの場合には、図１１に示すように、ステップＳ２３５において、指示部７０５は、第２画像ＰＴ２を２回に分けて形成すると決定する。
次に、ステップＳ２３７において、指示部７０５は、１回目の画像形成時にインクを吐出する記録ヘッド３４を決定する。
次に、ステップＳ２３９において、搬送制御部７０６が、用紙Ｐを給送部２から画像形成部３に給送した後、画像形成部３が用紙Ｐの第２主面Ｓ２に画像ＰＴ２１を形成する。
次に、ステップＳ２４１において、搬送制御部７０６が用紙Ｐを反転した後、画像形成部３が用紙Ｐの第１主面Ｓ１に第１画像ＰＴ１を形成する。
次に、ステップＳ２４３において、搬送制御部７０６が用紙Ｐを反転した後、画像形成部３が用紙Ｐの第２主面Ｓ２に画像ＰＴ２２を形成する。その後、搬送制御部７０６が、用紙Ｐを排出トレイ６に排出し、処理が図８のステップＳ１１１に戻る。
【００９３】
以上、図１〜図１１を参照して説明したように、本発明の実施形態では、第２印字率ＲＴ２が基準印字率ＲＴＡ以上であり、且つ第２吐出個数Ｎ２が２個以上である場合に、画像形成部３は、第２吐出個数Ｎ２の記録ヘッド３４の各々から複数回数ＮＰ２のうち１回だけインクを吐出する。
したがって、第２画像ＰＴ２を複数回数ＮＰ１に分けて用紙Ｐに形成するため、第２画像ＰＴ２が形成されることによる用紙Ｐの反りの大きさを低減できる。また、第２吐出個数Ｎ２の記録ヘッド３４の各々から複数回数ＮＰ２のうち１回だけインクを吐出するため、記録ヘッド３４を簡素な構成で制御できる。
【００９４】
なお、本発明の実施形態では、複数回数ＮＰ１が２回を示し、複数回数ＮＰ２が２回を示すが、本発明はこれに限定されない。複数回数ＮＰ１及び複数回数ＮＰ２の少なくとも一方が３回以上でもよい。
【００９５】
また、本発明の実施形態では、判定部７０３は、第１印字率ＲＴ１が基準印字率ＲＴＡ以上であるか否かを判定するが、本発明はこれに限定されない。判定部７０３は、第１印字率ＲＴ１が所定印字率以上であるか否かを判定すればよい。所定印字率が、例えば、第２印字率ＲＴ２を示してもよい。
【００９６】
所定印字率が第２印字率ＲＴ２を示す場合について以下に説明する。第１印字率ＲＴ１が第２印字率ＲＴ２以上であると判定部７０３が判定した場合には、第２画像ＰＴ２を用紙Ｐに形成する際に、第１画像ＰＴ１が用紙Ｐに形成されて発生する用紙Ｐの反りに起因して、用紙Ｐが記録ヘッド３４と接触する可能性がある。また、第１印字率ＲＴ１が第２印字率ＲＴ２以上である場合に、指示部７０５が、第１画像ＰＴ１を複数回数ＮＰ１に分けて用紙Ｐに形成すると決定するため、第１画像ＰＴ１が形成されることによる用紙Ｐの反りの大きさを低減できる。したがって、用紙Ｐが記録ヘッド３４と接触する可能性を低減できる。
【００９７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９８】
（１）本発明の実施形態では、図１を参照して説明したように、記録ヘッド３４が４個の記録ヘッド３４ａ〜記録ヘッド３４ｄで構成されるが、本発明はこれに限定されない。記録ヘッド３４が複数の記録ヘッドで構成されればよい。例えば、記録ヘッド３４が２個又は３個の記録ヘッドで構成されてもよいし、記録ヘッド３４が５個以上の記録ヘッドで構成されてもよい。
【００９９】
（２）本発明の実施形態では、図１を参照して説明したように、インクジェット記録装置１００が押えローラー３１を備えるが、本発明はこれに限定されない。インクジェット記録装置１００が記録ヘッド３４に対して用紙Ｐの搬送方向の上流側に配置される搬送ローラーを備えればよい。例えば、インクジェット記録装置１００が搬送ローラー対を備えてもよい。
【０１００】
（３）本発明の実施形態では、図２〜図１１を参照して説明したように、インクジェット記録装置１００が複数の用紙Ｐの両面に画像を形成する形態について説明したが、本発明はこれに限定されない。インクジェット記録装置１００が１枚の用紙Ｐの両面に画像を形成してもよい。この形態では、両面に画像を形成した後に用紙Ｐを反転する処理を省略できる。具体的には、図１０におけるステップＳ２３３で実行する用紙Ｐを反転する処理を省略できる。
【産業上の利用可能性】
【０１０１】
本発明は、インクジェット記録装置に関するものであり、産業上の利用可能性を有する。
【符号の説明】
【０１０２】
１００    インクジェット記録装置
３    画像形成部
３１    押えローラー
３４、３４ａ〜３４ｄ    記録ヘッド
４    搬送部
４１    第１搬送部
４２    第２搬送部
４３    第３搬送部（反転機構の一部）
４４    第４搬送部（反転機構の一部）
７    制御部
７１    プロセッサー
７２    記憶部
７０１    受付部
７０２    第１算出部
７０３    判定部
７０４    第２算出部
７０５    指示部（決定部）
７０６    搬送制御部
２００    パーソナルコンピューター
ＡＲ１    第１所定領域
ＡＲ２    第２所定領域
Ｃ    反り量
ＣＡ    距離
ＤＳ    搬送面
ＪＢ    プリントジョブ
Ｎ１    第１吐出個数
Ｎ２    第２吐出個数
ＮＰ１、ＮＰ２    複数回数
Ｐ    用紙（記録媒体）
ＰＴ１    第１画像
ＰＴ２    第２画像
ＲＴ１    第１印字率
ＲＴ２    第２印字率
ＲＴＡ    基準印字率
Ｓ１    第１主面
Ｓ２    第２主面
【図１】
2019005986.tif 000003
【図２】
2019005986.tif 000004
【図３】
2019005986.tif 000005
【図４】
2019005986.tif 000006
【図５】
2019005986.tif 000007
【図６】
2019005986.tif 000008
【図７】
2019005986.tif 000009
【図８】
2019005986.tif 000010
【図９】
2019005986.tif 000011
【図１０】
2019005986.tif 000012
【図１１】
2019005986.tif 000013